【手続補正書】
【提出日】平成29年8月15日(2017.8.15)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
前記方法は、ビデオデータのブロックに対応する残差データを受信することを備え、
ビデオデータの前記ブロックが、非対称動き分割を使用して符号化され、後方ビュー合成予測（ＢＶＳＰ）を使用して単方向予測され、１６×１２、１２×１６、１６×４、または４×１６のサイズを有し、
ビデオデータの前記ブロックが、コーディングユニットの予測ユニットであり、
前記方法は、
ビデオデータの前記ブロックを、各々が８×４または４×８のサイズを有するサブブロックに分割することと、
参照ピクチャに対応する奥行きピクチャ中の対応する奥行きブロックから前記サブブロックの各々に関するそれぞれの視差動きベクトルを導出することと、
前記それぞれの導出された視差動きベクトルを使用して、前記サブブロックの各々に関するそれぞれの参照ブロックを合成することと、
前記残差データと前記合成されたそれぞれの参照ブロックとを使用して、前記サブブロックの各々に関して動き補償を実行することによって、ビデオデータの前記ブロックを復号することと
を備える、方法。
【請求項２】
前記予測ユニットが非対称動き分割を使用して符号化されていることを示し、前記予測ユニットが後方ビュー合成予測を使用して単方向予測されていることを示す、１つまたは複数のシンタックス要素を受信することと、
ＢＶＳＰ候補を指すマージ候補インデックスを受信することと
をさらに備える、請求項１に記載の方法。
【請求項３】
前記サブブロックの各々に関する前記それぞれの視差動きベクトルを導出することは、
ビデオデータの前記ブロックに関する視差ベクトルを導出することと、
前記導出された視差ベクトルを使用して、前記サブブロックの各々に関する前記対応する奥行きブロックを位置特定することと、
前記サブブロックの各々に関する前記対応する奥行きブロックの１つの選択された奥行き値を前記それぞれの視差動きベクトルに変換することと
を備える、請求項１に記載の方法。
【請求項４】
ビデオデータの前記ブロックはビデオデータの第１のブロックであり、
前記方法は、ビデオデータの第２のブロックに対応する残差データを受信することをさらに備え、
ビデオデータの前記第２のブロックが、ビュー間動き予測または動きベクトル継承のうちの少なくとも１つを使用して符号化され、１６×４または４×１６のサイズを有し、
前記方法は、
ビデオデータの前記第２のブロックを、各々が８×４または４×８のサイズを有するサブブロックに分割することと、
１つのそれぞれの参照ブロックから前記サブブロックの各々に関する動き情報を導出することと、
前記残差データと、前記導出された動き情報と、１つの参照ピクチャリストとを使用して、前記サブブロックの各々に関して動き補償を実行することによって、ビデオデータの前記第２のブロックを復号することと
をさらに備える、請求項１に記載の方法。
【請求項５】
動き補償を実行することは、前記１つの参照ピクチャリスト中のピクチャに対して単方向動き補償を実行することを備える、請求項４に記載の方法。
【請求項６】
ビデオデータの前記ブロックはビデオデータの第１のブロックであり、
前記方法は、ビデオデータの第２のブロックに対応する残差データを受信することをさらに備え、
ビデオデータの前記第２のブロックが、ビュー間動き予測または動きベクトル継承のうちの少なくとも１つを使用して符号化され、サイズ１６×１２または１２×１６を有し、
前記方法は、
ビデオデータの前記第２のブロックを複数のサブブロックに分割することと、
単予測的予測を用いて、前記複数のサブブロックの各々を復号することと
をさらに備える、請求項１に記載の方法。
【請求項７】
ビデオデータを符号化する方法であって、
前記方法は、非対称動き分割を使用して、ビデオデータのブロックを生成することを備え、
ビデオデータの前記ブロックが、後方ビュー合成予測（ＢＶＳＰ）を使用して単方向予測され、１６×１２、１２×１６、１６×４、または４×１６のサイズを有し、
ビデオデータの前記ブロックが、コーディングユニットの予測ユニットであり、
前記方法は、
ビデオデータの前記ブロックを、各々が８×４または４×８のサイズを有するサブブロックに分割することと、
参照ピクチャに対応する奥行きピクチャ中の対応する奥行きブロックから前記サブブロックの各々に関するそれぞれの視差動きベクトルを導出することと、
前記それぞれの導出された視差動きベクトルを使用して、前記サブブロックの各々に関するそれぞれの参照ブロックを合成することと、
前記合成されたそれぞれの参照ブロックを使用して、前記サブブロックの各々に関して動き補償を実行することによって、ビデオデータの前記ブロックを符号化することと
を備える、方法。
【請求項８】
前記予測ユニットが非対称動き分割を使用して符号化されていることを示し、前記予測ユニットが後方ビュー合成予測を使用して単方向予測されていることを示す、１つまたは複数のシンタックス要素を生成することと、
ＢＶＳＰ候補を指すマージ候補インデックスを生成することと
をさらに備える、請求項７に記載の方法。
【請求項９】
前記サブブロックの各々に関する前記それぞれの視差動きベクトルを導出することは、
ビデオデータの前記ブロックに関する視差ベクトルを導出することと、
前記導出された視差ベクトルを使用して、前記サブブロックの各々に関する前記対応する奥行きブロックを位置特定することと、
前記サブブロックの各々に関する前記対応する奥行きブロックの１つの選択された奥行き値を前記それぞれの視差動きベクトルに変換することと
を備える、請求項７に記載の方法。
【請求項１０】
ビデオデータの前記ブロックはビデオデータの第１のブロックであり、
前記方法は、非対称動き分割を使用して、ビデオデータの第２のブロックを生成することを備え、
ビデオデータの前記第２のブロックが、ビュー間動き予測または動きベクトル継承のうちの少なくとも１つを使用して符号化され、１６×４または４×１６のサイズを有し、
前記方法は、
ビデオデータの前記第２のブロックを、各々が８×４または４×８のサイズを有するサブブロックに分割することと、
１つのそれぞれの参照ブロックから前記サブブロックの各々に関する動き情報を導出することと、
前記導出された動き情報と、１つの参照ピクチャリストとを使用して、前記サブブロックの各々に関して動き補償を実行することによって、ビデオデータの前記第２のブロックを符号化することと
をさらに備える、請求項７に記載の方法。
【請求項１１】
動き補償を実行することは、前記１つの参照ピクチャリスト中のピクチャに対して単方向動き補償を実行することを備える、請求項１０に記載の方法。
【請求項１２】
ビデオデータを復号するように構成された装置であって、
前記装置は、
ビデオデータのブロックに対応する情報を記憶するように構成されたビデオメモリと、
１つまたは複数のプロセッサとを備え、
前記１つまたは複数のプロセッサは、ビデオデータの前記ブロックに対応する残差データを受信することを行うように構成され、
ビデオデータの前記ブロックが、非対称動き分割を使用して符号化され、後方ビュー合成予測（ＢＶＳＰ）を使用して単方向予測され、１６×１２、１２×１６、１６×４、または４×１６のサイズを有し、
ビデオデータの前記ブロックが、コーディングユニットの予測ユニットであり、
前記１つまたは複数のプロセッサは、
ビデオデータの前記ブロックを、各々が８×４または４×８のサイズを有するサブブロックに分割することと、
参照ピクチャに対応する奥行きピクチャ中の対応する奥行きブロックのサブブロックから前記サブブロックの各々に関するそれぞれの視差動きベクトルを導出することと、
前記それぞれの導出された視差動きベクトルを使用して、前記サブブロックの各々に関するそれぞれの参照ブロックを合成することと、
前記残差データと、前記合成されたそれぞれの参照ブロックとを使用して、前記サブブロックの各々に関して動き補償を実行することによって、ビデオデータの前記ブロックを復号することと
を行うように構成された、
装置。
【請求項１３】
前記１つまたは複数のプロセッサは、
前記予測ユニットが非対称動き分割を使用して符号化されていることを示し、前記予測ユニットが後方ビュー合成予測を使用して単方向予測されていることを示す、１つまたは複数のシンタックス要素を受信することと、
ＢＶＳＰ候補を指すマージ候補インデックスを受信することと
を行うようにさらに構成される、請求項１２に記載の装置。
【請求項１４】
前記１つまたは複数のプロセッサは、
ビデオデータの前記ブロックに関する視差ベクトルを導出することと、
前記導出された視差ベクトルを使用して、前記サブブロックの各々に関する前記対応する奥行きブロックを位置特定することと、
前記サブブロックの各々に関する前記対応する奥行きブロックの１つの選択された奥行き値を前記それぞれの視差動きベクトルに変換することと
を行うようにさらに構成される、請求項１２に記載の装置。
【請求項１５】
ビデオデータの前記ブロックはビデオデータの第１のブロックであり、
前記１つまたは複数のプロセッサは、ビデオデータの第２のブロックに対応する残差データを受信することを行うようにさらに構成され、
ビデオデータの前記第２のブロックが、ビュー間動き予測または動きベクトル継承のうちの少なくとも１つを使用して符号化され、１６×４または４×１６のサイズを有し
前記１つまたは複数のプロセッサは、
ビデオデータの前記第２のブロックを、各々が８×４または４×８のサイズを有するサブブロックに分割することと、
１つのそれぞれの参照ブロックから前記サブブロックの各々に関する動き情報を導出することと、
前記残差データと、前記導出された動き情報と、１つの参照ピクチャリストとを使用して、前記サブブロックの各々に関して動き補償を実行することによって、ビデオデータの前記第２のブロックを復号することと
を行うようにさらに構成される、請求項１２に記載の装置。